(57)【要約】  本発明は、少なくとも１つのねじロックによって、蓋を容器に固定するための締付けリングクロージャであって、Ｕ字形またはＶ字形の横断面を有する開いた締付けリング（１）を備え、該締付けリング（１）の両端部に配置された支承台（３，４）を備え、該支承台のうち、一方の支承台（３）は貫通孔を有し、他方の支承台（４）は雌ねじ山を有し、前記一方の支承台（３）の貫通孔を貫いて延び、かつ前記他方の支承台（４）の雌ねじ山にねじ山が螺合するねじ（２）を備え、該ねじ（２）は、前記他方の支承台（４）の幅を超えて延びていて、該他方の支承台（４）から進出した区分に、該区分を取り囲む、固定されたねじ山付リング（５）を支持している、締付けリングクロージャに関する。ねじ（２）の、ねじ頭部（６）とは反対側の端部は、ねじ山付リング（５）の、ねじ頭部に向いた側に配置され、かつねじ山付リングに隣接した、他方の支承台（４）の雌ねじ山に螺合するねじ山を保持していない区分（８）を有し、該区分（８）は少なくとも他方の支承台（４）の幅にわたって延びている。
2015525330.tif 000002
【特許請求の範囲】
【請求項１】
少なくとも１つのねじロックによって、蓋を容器に固定するための締付けリングクロージャであって、
Ｕ字形またはＶ字形の横断面を有する開いた締付けリングを備え、
該締付けリングの両端部に配置された支承台を備え、該支承台のうち、一方の支承台は貫通孔を有し、他方の支承台は雌ねじ山を有し、
前記一方の支承台の貫通孔を貫いて延び、かつ前記他方の支承台の雌ねじ山にねじ山が螺合するねじを備え、該ねじは、前記他方の支承台の幅を超えて延びていて、該他方の支承台から進出した区分に、該区分を取り囲む、固定されたねじ山付リングを支持している、締付けリングクロージャにおいて、
前記ねじ（２）の、ねじ頭部（６）とは反対側の端部が、前記ねじ山付リング（５）の、前記ねじ頭部（６）に向いた側に配置され、かつ前記ねじ山付リング（５）に隣接した、前記他方の支承台（４）の雌ねじ山に螺合するねじ山を保持していない区分（８）を有し、該区分（８）は少なくとも前記他方の支承台（４）の幅にわたって延びていることを特徴とする、締付けリングクロージャ。
【請求項２】
前記ねじ山付リング（５）は、ねじ山付ピン（７）によって、前記ねじ（２）の軸部に固定されている、請求項１記載の締付けリングクロージャ。
【請求項３】
前記ねじ（２）のねじ頭部（６）は、多角頭または多角穴付き頭として、すりわり付き頭として、十字穴付き頭として、または六角星形穴付き頭として形成されている、請求項１または２記載の締付けリングクロージャ。
【請求項４】
前記ねじ（２）の頭部（６）は、六角頭または六角穴付き頭として形成されている、請求項３記載の締付けリングクロージャ。
【請求項５】
当該締付けリングクロージャが金属から成る、請求項１から４までのいずれか１項記載の締付けリングクロージャ。
【請求項６】
当該締付けリングクロージャはその周囲にわたって分配された複数のねじロックを有する、請求項１から５までのいずれか１項記載の締付けリングクロージャ。
【発明の詳細な説明】
【技術分野】
【０００１】
本発明は、少なくとも１つのねじロック（ねじ錠）によって、蓋を容器に固定するための締付けリングクロージャであって、
Ｕ字形またはＶ字形の横断面を有する開いた締付けリングを備え、
該締付けリングの両端部に配置された支承台を備え、該支承台のうち、一方の支承台は貫通孔を有し、他方の支承台は雌ねじ山を有し、
前記一方の支承台の貫通孔を貫いて延び、かつ前記他方の支承台の雌ねじ山にねじ山が螺合するねじを備え、該ねじは、前記他方の支承台の幅を超えて延びていて、該他方の支承台から進出した区分に、該区分を取り囲む、固定されたねじ山付リングを支持している、締付けリングクロージャに関する。
【０００２】
容器または樽に蓋を固定するためには、しばしば締付けリングが使用され、それによって、多数のねじ締結部が回避される。
【０００３】
このような形式の締付けリングは、通常、Ｕ字形またはＶ字形の横断面を有し、蓋を樽に固定してシールするために働く。
【０００４】
取り扱いのためには、開いた締付けリングに、１つのまたは複数の締付けロックが備えられており、これらの締付けロックは、締付けリングの自由端部を互いに結合する。締付けロックは、閉鎖時には締付けリングの両自由端部を引き合わせ、開放時には互いに押し離す。締付けリングは、開放時に、その固有弾性力に基づいても、より大きな直径を取ることができる。
【０００５】
締付けロックを備えた締付けリングが、独国特許出願公開１９７２８６５５号明細書により公知である。冒頭で述べた形式の締付けリングは、ＵＣＯＮ  ＡＧ  Ｃｏｎｔａｉｎｅｒｓｙｓｔｅｍｅ  ＫＧ社から、「Ｓｐａｎｎｒｉｎｇ  ＤＮ４５７」の呼称で販売されている。
【０００６】
締付けリングクロージャの簡単でかつ迅速な開放および閉鎖のためには、電気的またはニューマチック的に駆動されるドライバ（ねじ回し）、たとえばバッテリ式電動ドライバがしばしば用いられる。締付けリングクロージャの開放時には、ねじ山付リングが支承台に当接する前に、ねじ回し過程が中断されることが望ましい。このことが行われないと、ねじの端部に配置されたねじ山付リングが、しばしば雌ねじ山を有する支承台に衝突する。このときに、締付けリングクロージャは衝撃を受け、この衝撃によって、締付けリングクロージャは、制御不能に跳ね上げられる。このことから、周囲にいる人の負傷や器物破損の危険が生じる。
【０００７】
本発明の課題は、従来技術のこのような不都合を回避して、モータ駆動式のドライバを用いた開放時に、開放過程の終了時に跳ね上げられる危険が生じないような締付けリングクロージャを提供することである。
【０００８】
意想外にも、この課題は、ねじが、開放過程の終端位置において、雌ねじ山を備えた支承台に対応する範囲に、この雌ねじ山に螺合するねじ山を有していないことにより解決され得ることが判った。ねじはこの範囲において平滑な軸部として形成されていてよく、またねじは何らかの手段でプロファイリングされていてもよく、重要となるのは、締付けリングクロージャが完全に開かれた位置において、支承台の雌ねじ山へのねじの螺合が不可能となることだけである。
【０００９】
したがって、本発明の対象は、冒頭で述べた形式の締付けリングクロージャにおいて、ねじの、ねじ頭部とは反対側の端部が、ねじ山付リングの、ねじ頭部に向いた側に配置され、かつねじ山付リングに隣接した、支承台の雌ねじ山に螺合するねじ山を保持していない区分を有し、該区分は少なくとも支承台の幅にわたって延びていることを特徴とする締付けリングクロージャである。
【００１０】
ねじ山付リングは、ねじの端部の近傍で、ねじの軸部に固定されている。この固定は、たとえば接着または溶接によって達成され得る。簡単な取外しの点では、ねじ山付リングが、ねじ山付ピンによってねじの軸部に固定されていることが特に有利である。
【００１１】
ねじ頭部の形成は、本発明の機能にとって重要ではない。ねじ頭部は、ドライバによって回転させることのできる汎用のねじ頭部であってよい。したがって、ねじの頭部は、多角頭または多角穴付き頭として、すりわり付き頭として、十字穴付き頭として、または六角星形穴付き頭として形成され得る。六角星形穴付き頭ねじは、いわゆるトルクスねじ（登録商標）としても知られている。
【００１２】
ねじの頭部は、六角頭または六角穴付き頭として形成されていると有利である。
【００１３】
締付けリングクロージャまたはその一部は、プラスチックを含む種々様々な材料から成っていてよい。しかし、締付けリングクロージャは金属から成っていると有利である。なぜならば、これによって特別な安定性および耐久性が達成されるからである。
【００１４】
締付けリングクロージャは、通常１つのねじロックしか有しない。特に広い開口を得るためには、締付けリングクロージャが、その周囲にわたって分配された複数のねじロック、たとえば２つのまたは３つのねじロックを有していてよい。
【００１５】
以下に、本発明の実施形態を図面につき詳しく説明する。
【図面の簡単な説明】
【００１６】
【図１】締付けリングクロージャの斜視図である。
【図２】ねじの詳細図である。
【００１７】
締付けリングクロージャは、Ｕ字形状の横断面を持つ締付けリング（１）を有している。開いた締付けリングの両端部には、支承台（３）および支承台（４）が配置されている。支承台（３）は貫通孔を有し、支承台（４）は雌ねじ山を有している。支承台（３）の貫通孔には、ねじ（２）が貫通して延びており、このねじ（２）は支承台（４）の雌ねじ山に螺合する。ねじ（２）の端部は、支承台（４）から突出している。ねじ軸部のこの部分には、ねじ山付リング（５）がねじ山付ピン（７）によって固定されている。ねじ（２）の軸部は、ねじ山付リング（５）に隣接して、ねじ山を保持していない区分（８）を有する。
【００１８】
ねじ山なしの区分（８）に基づいて、締付けリングクロージャはモータ駆動式のドライバを用いても危険なく開放され得る。たとえねじ山付リング（５）が、開放時に支承台（４）に衝突したとしても、この締付けリングクロージャは、支承台の雌ねじ山への平滑なねじ軸部の螺合が生じないことに基づき、衝撃を受けない。したがって締付けリングクロージャは跳ね上げられないので、負傷や器物破損の危険は生じない。
【符号の説明】
【００１９】
（１）締付けリング
（２）ねじ
（３）支承台
（４）支承台
（５）ねじ山付リング
（６）ねじ頭部
（７）ねじ山付ピン
（８）区分
【図１】
2015525330.tif 000003
【図２】
2015525330.tif 000004
【国際調査報告】
2015525330.tif 000005
2015525330.tif 000006
2015525330.tif 000007
2015525330.tif 000008